(57)【特許請求の範囲】
【請求項１】
実値の８ビットのデジタルデータを１６ビットのシリアルデータに変換するデジタル変調方法であって、
前記デジタルデータを所定の個数ごとの区間に分割し、
前記分割した区間のうち実値「０」〜「８７」の前記デジタルデータが所定数以上含まれる区間を抽出し、
前記抽出した各区間について、所定の一つの位置の前記デジタルデータから変換した前記シリアルデータが値“１”となる時間と値“０”となる時間の差の値と、所定の別の一つの位置の前記デジタルデータから変換した前記シリアルデータが値“１”となる時間と値“０”となる時間の差の値とを、いずれか一方の位置における前記時間の差の値のほうが大きくなるように制御し、それらの二つの位置における前記時間の差の値の大小関係に応じて１ビットずつの副情報を挿入する
デジタル変調方法。
【請求項２】
複数の前記抽出した区間に挿入した複数ビットからなる前記副情報のうちの一部を誤り訂正情報の領域として、誤り訂正情報を設ける
請求項１記載のデジタル変調方法。
【請求項３】
前記デジタルデータに、前記所定の個数ごとの区間に分割する前に、前記所定の個数の複数倍以上の単位ごとに横方向及び縦方向の誤り訂正情報を付加し、
前記分割した区間のうち実値「０」〜「８７」の前記デジタルデータが前記所定数よりも１つ少ない数だけ含まれる各区間について、実値「８８」以上の前記デジタルデータのうち、前記横方向及び縦方向の誤り訂正情報を付加した単位の中で互いに横方向及び縦方向に並ばないいずれか一つの位置のデジタルデータを、それぞれ実値「０」〜「８７」のいずれかのデータに置き換え、
前記置き換えを行った各区間についても、１ビットずつの前記副情報を挿入する
請求項１又は２記載のデジタル変調方法。
【請求項４】
１６ビットのシリアルデータを実値の８ビットのデジタルデータに変換するデジタル復調方法であって、
所定の個数の前記シリアルデータからなる区間ごとに、前記シリアルデータから変換した前記デジタルデータのうち実値「０」〜「８７」の数を計測して、実値「０」〜「８７」の数が所定数以上である区間を有効区間とし、
各々の前記有効区間について、所定の一つの位置の前記シリアルデータが値“１”となる時間と値“０”となる時間の差の値と、所定の別の一つの位置の前記シリアルデータが値“１”となる時間と値“０”となる時間の差の値との大小関係を判別し、その大小関係に応じて１ビットずつの副情報を取り出し、
前記有効区間のうち、前記所定の一つの位置における前記時間の差の値と前記所定の別の一つの位置における前記時間の差の値とが等しくなる区間の数によって、副情報の挿入の有無を判断する
デジタル復調方法。
【請求項５】
取り出した前記副情報から、前記デジタルデータの再生の許可／不許可の条件を判別し、再生許可のときは、前記シリアルデータが供給される復調手段に動作許可信号を供給する
請求項４記載のデジタル復調方法。
【請求項６】
取り出した前記副情報から、前記デジタルデータの再生の許可／不許可の条件を判別し、再生不許可のときは、前記シリアルデータが供給される復調手段に動作不許可信号を供給するとともに、記録媒体から前記シリアルデータを読み出す読み出し手段に前記記録媒体を強制的に排出させる
請求項４又は５記載のデジタル復調方法。
【請求項７】
実値の８ビットのデジタルデータを１６ビットのシリアルデータに変換して記録した記録済記録媒体であって、
所定の個数の前記デジタルデータごとに分割された区間のうち、実値「０」〜「８７」の前記デジタルデータが所定数以上含まれる各区間について、所定の一つの位置の前記デジタルデータから変換した前記シリアルデータが値“１”となる時間と値“０”となる時間の差の値と、所定の別の一つの位置の前記デジタルデータから変換した前記シリアルデータが値“１”となる時間と値“０”となる時間の差の値とが、いずれか一方の位置における前記時間の差の値のほうが大きくなるように制御されており、それらの二つの位置における前記時間の差の値の大小関係に応じて１ビットずつの副情報を挿入して記録した
記録済記録媒体。
【請求項８】
複数の区間に挿入した複数ビットからなる前記副情報のうちの一部を誤り訂正情報の領域として、誤り訂正情報を設けた
請求項７記載の記録済記録媒体。
【請求項９】
前記デジタルデータは、前記所定の個数ごとの区間に分割する前に、前記所定の個数の複数倍以上の単位ごとに横方向及び縦方向の誤り訂正情報を付加されており、
実値「０」〜「８７」の前記デジタルデータが前記所定数よりも１つ少ない数だけ含まれる各区間について、実値「８８」以上の前記デジタルデータのうち、前記横方向及び縦方向の誤り訂正情報を付加した単位の中で互いに横方向及び縦方向に並ばないいずれか一つの位置のデジタルデータが、それぞれ実値「０」〜「８７」のいずれかのデータに置き換えられており、前記置き換えが行われた各区間についても１ビットずつの前記副情報を挿入して記録した
請求項７又は８記載の記録済記録媒体。
【発明の詳細な説明】
【０００１】
【発明の属する技術分野】
本発明は、例えばデジタルバーサタイルディスク（Digital Versatile Disc：以下、ＤＶＤと略称する）に使用して好適なデジタル変調方法、復調方法及び記録済記録媒体に関する。詳しくは、実値のデジタルデータからシリアルデータへの変換を制御することによって、シリアルデータの中に任意の副情報の挿入を可能にするものである。
【０００２】
【従来の技術】
例えばＤＶＤに記録されるシリアルデータの中に任意の副情報を挿入する手段としては、従来から例えば特開平１０−２６９５７７号公報に示されるような装置が提案されている。すなわちこの装置においては、例えばＤＶＤにシリアルデータを記録する際のレーザービームの光量を変調することによって、任意の副情報を挿入するものであって、このＤＶＤの再生時には再生信号の再生レベルの変化を検出して副情報を取り出すようにしたものである。
【０００３】
なおこのような副情報は、例えば複製や改竄により作成される違法ディスクの排除や、著作権の許諾に応じた再生、複製の許可／不許可等の条件判断に用いられるものである。しかしながら上述のような記録する際のレーザービームの光量の変調は、ＤＶＤのような記録再生手段として光を用いた記録媒体には有効であるが、例えば上述の複製や改竄により作成されたデータが磁気テープや磁気ディスクに記録された場合には効果のないものである。
【０００４】
また、上述のデータの記録をＣＤ−Ｒ（Compact Disk Recordable ）やＣＤ−ＲＷ（Compact Disk Re-Writable）に行う場合に、上述の副情報の記録を行うためにはレーザービームの光量を変調するための特別な機構が必要になり、民生用の機器等において容易に実施することができないものである。すなわちこのようなＣＤ−Ｒ等に対しては上述の手段を実施することができず、このため例えば上述の複製や改竄により作成されたデータの記録には効果のないものである。
【０００５】
【発明が解決しようとする課題】
ところでＤＶＤにデジタルデータを記録する際には、例えば８ビットの対象デジタルデータをＥＦＭPlus方式を用いて１６ビットのシリアルデータに変換し、さらにＮＲＺＩ方式で記録信号を形成することが行われている。またその際に、形成される記録信号が値“１”となる時間と値“０”となる時間の差（Digital Sum Value ：以下、ＤＳＶと略称する）を測定し、このＤＳＶの値が小さくなるように、変換されるシリアルデータの選択を行うことがされている。
【０００６】
すなわちこのようなＤＳＶの値が大きいと、例えば再生装置でのサーボ信号にシリアルデータの信号成分が漏れ込んでサーボ不安定の要因となる。また再生信号を２値化する過程においてＤＳＶの値が大きいと、２値化のためのスライスレベルの決定に誤りを生じる恐れが高くなるものである。
【０００７】
一方、上述の例えば８ビットの対象デジタルデータは２５６通りであり、これに対して１６ビットのデータは３２７６８通りあるが、この内シリアルデータとしては所定の基準周期Ｔに対して３Ｔ〜１１Ｔ及び１４Ｔのものが用いられる。また８ビットを１６ビットに変換する変換テーブルには状態１〜４が設けられ、この状態１〜４と対象デジタルデータによってシリアルデータの生成が行われるようになっている。
【０００８】
さらに実値「０」〜「８７」の対象デジタルデータに対しては、状態１〜４のそれぞれについて正テーブルと副テーブルが設けられ、これらのテーブルを任意に選んでシリアルデータの生成が行われる。また実値「８８」〜「２５５」の対象デジタルデータに対しては、状態１または４の場合に限り、値“０”の連続が規定値を満たすことを条件として、状態１のときは状態４、状態４のときは状態１のシリアルデータを置き換えの対象にすることができる。
【０００９】
そしてこのような実値「０」〜「８７」の対象デジタルデータに対する正テーブルと副テーブルの選択や、実値「８８」〜「２５５」の対象デジタルデータに対する状態１または４の場合の置き換えを制御することによって、ＤＳＶの値の制御を行うことができ、従来は一般的にこのＤＳＶの値が小さくなるように制御を行っていたものである。
【００１０】
すなわち、例えばＤＶＤの変換テーブルについて、対象デジタルデータが順に値「０→３→０」の場合に、出力可能なシリアルデータのパターンは、図２４に示すように８通りある。また状態の遷移も８通りある。なお図２４で各シリアルデータの表記は、上段が主テーブル、下段が副テーブルの場合である。そしてこの場合のＤＳＶの値の変化は図２５に示すようになる。ここでグラフに添えられた「主」「副」の文字はテーブル選択の履歴を示している。
【００１１】
このように例えばテーブルの選択に応じてＤＳＶの値は種々に変化し、例えば最終値においても初期値に近いものから、大きくかけ離れたものまで存在している。またその間のＤＳＶの値の経路も、例えばテーブルの選択に応じて種々に変化するものである。そこで、さらにこのようなＤＳＶの値を任意の副情報に応じて変調し、違法ディスクの排除や再生、複製の許可／不許可等のための副情報を挿入することが考えられる。
【００１２】
しかしながら、上述したようにＤＳＶの値は全ての対象デジタルデータについて制御できるものではなく、確実に制御できるのは例えば実値「０」〜「８７」の場合だけである。このため任意の副情報に応じてＤＳＶの値を常に変調できるものではない。またこのような変調を行っていない信号についてもＤＳＶの値は任意に変化されているので、このような信号から誤って副情報に近似した信号が取り出され、誤った判断や誤動作等の生じる恐れも排除できないものである。
【００１３】
この出願はこのような点に鑑みて成されたものであって、解決しようとする問題点は、従来の例えばレーザービームの光量を変調する方式では、光を用いない記録媒体には効果がなく、さらに市販の記録装置にレーザービームの光量を変調する機能を持たせることも容易ではなく、また、ＤＳＶの値を変調して副情報の挿入を行う方式では、これを単純に実施しても良好な副情報の挿入や誤動作等の恐れを排除することができなかったというものである。
【００１４】
【課題を解決するための手段】
このため本発明においては、実値の８ビットのデジタルデータを所定の個数ごとの区間に分割し、分割した区間のうち実値「０」〜「８７」のデジタルデータが所定数以上含まれる区間を抽出し、抽出した各区間について、所定の一つの位置のデジタルデータから変換した１６ビットのシリアルデータが値“１”となる時間と値“０”となる時間の差（ＤＳＶ）の値と、所定の別の一つの位置のデジタルデータから変換したシリアルデータが値“１”となる時間と値“０”となる時間の差（ＤＳＶ）の値とを、いずれか一方の位置におけるＤＳＶの値のほうが大きくなるように制御し、それらの二つの位置におけるＤＳＶの値の大小関係に応じて１ビットずつの副情報を挿入するようにしたものであって、これによれば、複数の区間でそれらの二つの位置におけるＤＳＶの値の大小関係を定めることにより、多数のビットからなる良好な副情報の挿入を行うことができると共に、各区間におけるそれらの二つの位置のＤＳＶの値の大小関係を判別して誤った判断や誤動作等の生じる恐れも排除することができる。
【００１５】
【発明の実施の形態】
すなわち本発明のデジタル変調方法は、実値の８ビットのデジタルデータを１６ビットのシリアルデータに変換するデジタル変調方法であって、
前記デジタルデータを所定の個数ごとの区間に分割し、
前記分割した区間のうち実値「０」〜「８７」の前記デジタルデータが所定数以上含まれる区間を抽出し、
前記抽出した各区間について、所定の一つの位置の前記デジタルデータから変換した前記シリアルデータが値“１”となる時間と値“０”となる時間の差（ＤＳＶ）の値と、所定の別の一つの位置の前記デジタルデータから変換した前記シリアルデータが値“１”となる時間と値“０”となる時間の差（ＤＳＶ）の値とを、いずれか一方の位置におけるＤＳＶの値のほうが大きくなるように制御し、それらの二つの位置におけるＤＳＶの値の大小関係に応じて１ビットずつの副情報を挿入するものである。
【００１６】
また、本発明のデジタル復調方法は、１６ビットのシリアルデータを実値の８ビットのデジタルデータに変換するデジタル復調方法であって、
所定の個数の前記シリアルデータからなる区間ごとに、前記シリアルデータから変換した前記デジタルデータのうち実値「０」〜「８７」の数を計測して、実値「０」〜「８７」の数が所定数以上である区間を有効区間とし、
各々の前記有効区間について、所定の一つの位置の前記シリアルデータが値“１”となる時間と値“０”となる時間の差（ＤＳＶ）の値と、所定の別の一つの位置の前記シリアルデータが値“１”となる時間と値“０”となる時間の差（ＤＳＶ）の値との大小関係を判別し、その大小関係に応じて１ビットずつの副情報を取り出し、
前記有効区間のうち、前記所定の一つの位置におけるＤＳＶの値と前記所定の別の一つの位置におけるＤＳＶの値とが等しくなる前記区間の数によって、副情報の挿入の有無を判断するものである。
【００１７】
さらに本発明の記録済記録媒体は、実値の８ビットのデジタルデータを１６ビットのシリアルデータに変換して記録した記録済記録媒体であって、
所定の個数の前記デジタルデータごとに分割された区間のうち、実値「０」〜「８７」の前記デジタルデータが所定数以上含まれる各区間について、所定の一つの位置の前記デジタルデータから変換した前記シリアルデータが値“１”となる時間と値“０”となる時間の差（ＤＳＶ）の値と、所定の別の一つの位置の前記デジタルデータから変換した前記シリアルデータが値“１”となる時間と値“０”となる時間の差（ＤＳＶ）の値とが、いずれか一方の位置におけるＤＳＶの値のほうが大きくなるように制御されており、それらの二つの位置におけるＤＳＶの値の大小関係に応じて１ビットずつの副情報を挿入して記録してなるものである。
【００１８】
以下、図面を参照して本発明を説明するに、まず図１には、本発明によるデジタル変調方法、復調方法及び記録済記録媒体の適用されるシステムの全体の構成を示す。この図１において、記録対象コンテンツ１であるデジタルデータが光ディスク記録装置２に供給され、シリアルデータに変調された信号が例えばＤＶＤ３に記録される。さらにこのＤＶＤ３が再生装置４にて再生され、デジタルデータに復調された信号が再生されたコンテンツ５として取り出される。
【００１９】
さらに図２には、本発明によるデジタル変調方法を適用した記録装置の一実施形態の構成を示す。この図２において、供給された記録対象コンテンツ１０はブロック化回路１１に供給される。このブロック化回路１１では、例えば図３に示すように、２０４８個のデジタルデータの先頭に１２データ分のアドレス情報等と、末尾に４データ分のエラーチェックコードを付加し、２０４８個のデジタルデータにスクランブルをかけた上で１７２×１２データごとに分割されてブロック化が行われる。
【００２０】
このブロック化回路１１からのデジタルデータが誤り訂正情報付加回路１２に供給される。この誤り訂正情報付加回路１２では、例えば図４に示すように１６ブロック（１７２×１９２データ分）のデジタルデータに対して、横方向１０データ分の誤り訂正情報（Ｐ１）と縦方向１６データ分の誤り訂正情報（Ｐ０）が付加される。なおこれらの誤り訂正情報は、最初に横方向の誤り訂正情報（Ｐ１）が生成され、その後に縦方向の誤り訂正情報（Ｐ０）が生成される。
【００２１】
これにより再生時には、例えば横方向及び縦方向のデータ列において、それぞれ一個のみの誤りデータが発生した場合には、その位置が誤り訂正情報（Ｐ０、Ｐ１）により特定されて、そのデータの誤りが訂正されるものである。さらにこの誤り訂正情報の付加されたデジタルデータがインターリーブ回路１３に供給されて、例えば図５に示すように縦方向の誤り訂正情報（Ｐ０）が各ブロックごとに挿入されるように並べ替えが行われる。
【００２２】
そしてこのインターリーブ回路１３からのデジタルデータがセレクタ１４の一方の固定接点に供給される。またインターリーブ回路１３からのデジタルデータが特定の条件のときにデジタルデータの置き換えを行う置き換えデータ生成回路１５に供給され、この生成回路１５からの置き換えデータがセレクタ１４の他方の固定接点に供給される。そしてこのセレクタ１４で選択されたデジタルデータが変調回路１６に供給される。
【００２３】
ここでこの変調回路１６では、例えば図６に示すようにセレクタ１４から供給されるデジタルデータ６０がデータ変換回路を構成する変換テーブル６１に供給される。そしてこの変換テーブル６１からは、例えば８ビットから１６ビットに変換されたシリアルデータと状態の値１〜４が取り出され、この状態の値１〜４が状態記憶回路６２に供給されて、次のデジタルデータ６０が供給されたときに選択される変換テーブル６１の状態が設定される。
【００２４】
さらに変換テーブル６１で変換されたシリアルデータがセレクタ６３の一方の固定接点に供給され、このセレクタ６３の他方の固定接点に供給される同期パターンテーブル６４からの同期パターンのデータと切り替えられる。ここで同期パターンにも４つの状態１〜４が設けられると共に、状態１〜４のそれぞれについて正テーブルと副テーブルが設けられ、これらのテーブルを任意に選んで同期パターンのデータの生成が行われる。
【００２５】
これによりセレクタ６３からは、例えば図７に示すように横方向１０データ分の誤り訂正情報を加えた１８２個のデータが９１個ずつに２等分され、それぞれの先頭に２データ分（３２ビット）の同期パターンの設けられた９３データ分のシリアルデータが取り出される。そしてこのセレクタ６３からのシリアルデータがＮＲＺＩ生成回路を構成する排他論理和回路６５に供給され、この排他論理和出力が遅延回路６６を通じて帰還されることで記録対象ＮＲＺＩデータ６７が生成される。
【００２６】
すなわち例えば対象デジタルデータが順に値「０→３→０」の場合に、変換テーブル６１では、例えば図８の３段目に示すようなシリアルデータ「００１０００００００００１００１・・」に変換され、これがＮＲＺＩ生成回路に供給されて４段目に示すような記録対象ＮＲＺＩデータ６７が生成される。なお５段目にはそのビット形式の値「１１００００００００００１１１０・・」を示す。そしてこのＮＲＺＩデータによるＤＳＶの値の変化は下段のグラフのようになる。
【００２７】
ここでＤＳＶの値は、上述の図２４及び図２５で説明したように変換テーブルの選び方で種々に変化するものである。そして従来は、常にＤＳＶの値が小さくなる方向に変換テーブルの選択が行われていた。これに対して本願の発明では、ＤＳＶの値を任意に制御するものであるが、その際さらにＤＳＶの値の制御に所定の形式を用いることによって、良好な副情報の挿入を行うと共に、誤った判断や誤動作等の生じる恐れも排除することができるものである。
【００２８】
すなわち本願の発明の一実施形態では、例えば図９に示すように上述の図７で２等分された９１個のデータに同期パターンのデータを加えたシリアルデータを１同期フレームとする。そして先頭の同期パターン（３２ビット）と続く９個のデータ（９×１６ビット）を第０区間とし、以降の１０個のデータ（１０×１６ビット）ずつを第１〜第８区間とし、最後の２個のデータ（２×１６ビット）を第９区間として分割する。ただしこの実施形態では第９区間は使用しない。
【００２９】
さらに第０区間について、例えば図１０のＡに示すように上述の同期パターン（３２ビット）の末尾と、９個のデータ（各１６ビット）の末尾のＤＳＶ値をそれぞれ値ＤＳＶ0 〜ＤＳＶ9 とする。また第１〜第８区間について、図１０のＢに示すように１０個のデータ（各１６ビット）の末尾のＤＳＶ値をそれぞれ値ＤＳＶ0 〜ＤＳＶ9 とする。そしてこれらの値ＤＳＶ0 〜ＤＳＶ9 を用いて、これらが所定のパターンとなったときに１ビットの情報が表されるものとする。
【００３０】
これにより、例えば上述の１６ブロックのデータを含む誤り訂正情報の１組の単位（以下、ＥＣＣ単位と称する）では、例えば図１１に示すように０〜４１５の４１６個の同期フレームが設けられる。そしてこれらの同期フレームごとにそれぞれ９個の区間が設けられる。すなわち上述の１組のＥＣＣ単位では４１６×９＝３７４４個の区間が設けられ、その値ＤＳＶ0 〜ＤＳＶ9 が所定のパターンとなったときに、それぞれ１ビットの副情報を表すことができるものである。
【００３１】
そこでこの実施形態では、例えば値ＤＳＶ4 と値ＤＳＶ9 について、これらの値の大小関係が〔値ＤＳＶ4 ＜値ＤＳＶ9 〕のとき値“０”の副情報とし、〔値ＤＳＶ4 ＞値ＤＳＶ9 〕のとき値“１”の副情報とする。一方、上述したようにＤＳＶの値の制御に有効なのは、対象デジタルデータが実値「０」〜「８７」の場合である。そこでこの実施形態では、例えば上述の有効な対象デジタルデータが５個以上含まれている区間のみに副情報の挿入を行うものとする。
【００３２】
これらの条件に従って副情報の挿入を行う。以下にその具体的な処理について説明する。なお以下の説明では、例えばＤＶＤのビデオディスクにおいて、その最内周に共通に設けられる規定のデータを対象として、その最初のＥＣＣ単位における上述の副情報の挿入を行った場合について検証するものである。
【００３３】
すなわち図１２に示す表１は、例えばその０番の同期フレームの各区間に含まれる対象デジタルデータの実値である。ここで第０区間の最初の対象デジタルデータは同期パターン（ＳＹＮＣ）であり、この場合に同期パターンにも状態１〜４のそれぞれについて正テーブルと副テーブルが設けられているので有効な対象デジタルデータとなる。そしてこの０番の同期フレームでは、第０、第１、第４区間が有効な対象デジタルデータを５個以上含み副情報の挿入が行われる。
【００３４】
そこでこれらの有効な対象デジタルデータの正テーブルと副テーブルを選択して値ＤＳＶ4 と値ＤＳＶ9 を制御した場合の結果を、表１の右から５列目と６列目に示し、これにより挿入される副情報の値を右から４列目に示す。この場合に第０区間には値“０”、第１区間にも値“０”、第４区間には値“１”の副情報が挿入されている。また、有効な対象デジタルデータが４個以下の無効区間には値“−１”を示してある。
【００３５】
これに対して、通常の方法で変調を行った場合の値ＤＳＶ4 と値ＤＳＶ9 を、表１の右から２列目と３列目に示す。この場合に、第１区間では〔値ＤＳＶ4 ＝値ＤＳＶ9 〕となっており、これは上述の制御を行っている場合には生じないものである。そこでこのような場合には、例えば副情報の値を右から１列目に示すように値“−２”とし、これを判別することで副情報の挿入の有無の判定を行うことができる。
【００３６】
さらに図１３に示す表２は、例えば上述の規定のデータの最初のＥＣＣ単位における１番の同期フレームの各区間に含まれる対象デジタルデータの実値であって、この１番の同期フレームでは、第０、第３区間が有効な対象デジタルデータを５個以上含み副情報の挿入が行われる。そこでこれらのテーブルを選択して値ＤＳＶ4 と値ＤＳＶ9 を制御した場合の結果を、表２の右から５列目と６列目に示し、これにより挿入される副情報の値を右から４列目に示す。
【００３７】
この場合に、第０区間には値“１”、第３区間にも値“１”の副情報が挿入されている。これに対して、通常の方法で変調を行った場合の値ＤＳＶ4 と値ＤＳＶ9 を表２の右から２列目と３列目に示すが、ここでは結果的に右から１列目に示す副情報の値は、制御を行った場合と通常の方法で変調を行った場合とで同じものになっている。このようにして、ＤＳＶ値の変化パターンを用いて任意の副情報の挿入を行うことができる。
【００３８】
そこで図２の本発明によるデジタル変調方法を適用した記録装置の一実施形態において、例えば副情報生成回路１７からの信号が変調回路１６に供給される。そしてこの変調回路１６では、供給される副情報に従って有効な対象デジタルデータのテーブルを選択して値ＤＳＶ4 と値ＤＳＶ9 の制御が行われる。ただし、値ＤＳＶ4 と値ＤＳＶ9 の制御は、全体のＤＳＶ値が余り大きくなり過ぎないように考慮して行われる。
【００３９】
また、上述の副情報の挿入されない区間の値「０」〜「８７」のデジタルデータや値「８８」以上で状態１、４のデジタルデータについても、副情報の挿入される区間の値ＤＳＶ4 と値ＤＳＶ9 への影響や全体のＤＳＶ値が大きくなり過ぎないように考慮して制御される。なお、上述の値ＤＳＶ4 及び値ＤＳＶ9 の計算は、例えば同期パターンの直前でＤＳＶ値を値“０”にリセットしたものとして計算され、全体のＤＳＶ値とは独立して平行に計算される。
【００４０】
さらに上述の変調回路１６からの信号が、セレクタ１８の一方の固定接点を通じて例えばＤＶＤ−Ｒ（Recordable）の書き込み装置１９に供給されてＤＶＤ−Ｒ２０への書き込みが行われる。そしてこのＤＶＤ−Ｒ２０を用いて記録された信号の評価が行われ、この評価が了承された場合には、さらに変調回路１６からの信号がセレクタ１８の他方の固定接点を通じて例えばＤＶＤのマスタリング装置２１に供給されて例えばＤＶＤ２２の作成が行われる。
【００４１】
またここでのＤＶＤ２２の作成は、従来から周知の技術によって行われるものであり図示は省略するが、その概略を記すと、例えばセレクタ１８から供給される記録対象ＮＲＺＩデータ６７の値“０”“１”に従って露光用のレーザーをオン／オフする。そしてこのレーザーにより感光剤の塗布されたガラス原盤を露光してスタンパーを作成し、そのスタンパーで型を取ることによって例えばＤＶＤのビデオディスクを量産するものである。
【００４２】
従ってこのデジタル変調方法の一実施形態において、シリアルデータに変換された信号が値“１”となる時間と値“０”となる時間の差（ＤＳＶ）を局所的に制御し、そのＤＳＶの値の変化パターンを用いて任意の副情報を挿入するようにしたことによって、このＤＳＶの値の変化パターンの形式を定めることにより、良好な副情報の挿入を行うことができると共に、変化パターンの形式を判別して誤った判断や誤動作等の生じる恐れも排除することができる。
【００４３】
これによって、従来の例えばレーザービームの光量を変調して副情報を挿入する方式では、光を用いない記録媒体には効果がなく、さらに市販の記録装置にレーザービームの光量を変調する機能を持たせることも容易ではなく、また、ＤＳＶの値を変調して副情報の挿入を行う方式では、これを単純に実施しても良好な副情報の挿入や誤動作等の恐れを排除することができなかったものを、本発明によればこれらの問題点を容易に解消することができるものである。
【００４４】
なお上述の規定のデータで、例えば表１、表２で説明したＥＣＣ単位において計測を行ったところ、上述の実施形態の変調方法により副情報の挿入できる有効な区間の数は８１２であり、上述した値ＤＳＶ4 と値ＤＳＶ9 が等しくなる無効の区間の数は０である。これに対し通常の変調では、副情報と類似の結果の生じる区間の数は７００あるが、上述した値ＤＳＶ4 と値ＤＳＶ9 が等しくなる無効の区間の数は１１２となる。
【００４５】
すなわち上述の実施形態では、この無効の区間の数で副情報の有無を判別することができる。ここでこの値ＤＳＶ4 と値ＤＳＶ9 が等しくなる無効の区間は、上述の実施形態により副情報の挿入を行っている場合には本来生じないものであり、信号の誤り等で生じる恐れがあるだけである。これに対し通常の変調では、常にＤＳＶ値を小さくするように制御されるために、値ＤＳＶ4 と値ＤＳＶ9 が等しくなる可能性が高く、無効の区間が発生する可能性が高いものである。
【００４６】
また、例えば上述の説明で述べた規定のデータのＥＣＣ単位に含まれる有効な区間の数は８１２であり、これにより８１２ビットの副情報を挿入することができる。これを例えば平均では少なく見積もって８００ビットとする。一方、例えばＤＶＤのビデオディスクのリードイン部のＥＣＣ単位の数は６７２である。すなわちこのＤＶＤのビデオディスクでは、このリードイン部だけで８００×６７２＝５３７６００ビットの副情報を挿入することができる。
【００４７】
さらに例えばＤＶＤのビデオディスクで４．７×１０9 のコンテンツ本体を記録する領域のＥＣＣ単位の数は１４３４３２であり、リードアウト領域を半径５８ｍｍから５９ｍｍとするとこの領域のＥＣＣ単位の数は６０１５である。これにより例えば単層ＤＶＤのビデオディスクの１枚当たりのＥＣＣ単位の総数は、リードイン部を含めて１５０１１９となり、ここに挿入することのできる副情報の総量は約１．２×１０8 ビットとなる。
【００４８】
またこのように多数のビットからなる副情報に対しては、例えばその一部を誤り訂正情報の領域として必要な情報に対して生成された誤り訂正情報を設けることにより、挿入される副情報の信頼性を向上させることができる。さらにこのような誤り訂正情報を設けることにより、例えば通常の変調により偶然に副情報と類似の結果が生じていたような場合にも、誤り訂正が不能になり情報が取り出されなくなることで、誤動作等が生じる恐れをなくすことができる。
【００４９】
ところで上述の実施形態では、有効な対象デジタルデータを５個以上含む区間に副情報の挿入を行うとしたが、これを例えば４個以上の区間とすることによって、挿入される副情報のビット数を増やすことができる。すなわち図１４に示す表３は、上述の規定のデータの最初のＥＣＣ単位の１０１番の同期フレームの各区間に含まれる対象デジタルデータの実値であり、この同期フレームでは、５個以上とした場合の有効区間の数は２であるが、４個以上とすると６になる。
【００５０】
ところがこの場合に、例えば図１５に示す表４は上述のＥＣＣ単位の１０２番の同期フレームの各区間に含まれる対象デジタルデータの実値であるが、ここで有効な対象デジタルデータを５個以上含む有効区間の数は１であり、４個以上にすると３になる。しかし有効な対象デジタルデータが４個の第３区間では、副情報として値“１”を挿入しようとしても、〔値ＤＳＶ4 ＞値ＤＳＶ9 〕にすることができず、これを通常処理すると〔値ＤＳＶ4 ＜値ＤＳＶ9 〕になって副情報として値“０”が挿入されてしまう。このことを表４では〔１⇒０〕で表す。さらに無効副情報数を１とし、有効副情報数＝３−１＝２と表す。
【００５１】
また例えば図１６に示す表５は上述のＥＣＣ単位の２３５番の同期フレームの各区間に含まれる対象デジタルデータの実値であるが、ここで有効な対象デジタルデータを５個以上含む有効区間の数は２であり、４個以上にすると６になる。しかし有効な対象デジタルデータが４個の第８区間では、副情報として値“０”を挿入しようとしても、〔値ＤＳＶ4 ＜値ＤＳＶ9 〕にすることができず、これを通常処理すると〔値ＤＳＶ4 ＝値ＤＳＶ9 〕になって副情報の挿入ができないことになる。このことを表５では〔０⇒−２〕で表す。さらに無効副情報数を１とし、有効副情報数＝６−１＝５と表す。
【００５２】
そこでこのような区間に対しては、例えば上述の図２の本発明によるデジタル変調方法を適用した記録装置の一実施形態において、副情報生成回路１７からの信号を置き換えデータ生成回路１５に供給し、この区間に含まれる実値「８８」以上の対象デジタルデータの一つを、実値「０」〜「８７」のデータに置き換えることにより、この区間の有効な対象デジタルデータを５個として有効な変調を行うことができる。
【００５３】
すなわち上述の１０２番の同期フレームの第３区間に対しては、例えば図１７の表６に示すように、８番目の対象デジタルデータ（ＤＳ７）を実値「１５５」から実値「０」に置き換えることにより、副情報として値“１”を挿入する場合に〔値ＤＳＶ4 ＞値ＤＳＶ9 〕にすることができる。なお、置き換えは他の対象デジタルデータ（ＤＳ０、ＤＳ４、ＤＳ５、ＤＳ６、ＤＳ９）であってもよく、置き換えるデータも実値「０」〜「８７」のいずれでもよい。
【００５４】
また、２３５番の同期フレームの第８区間に対しては、例えば図１８の表７に示すように、１０番目の対象デジタルデータ（ＤＳ９）を実値「１６５」から実値「０」に置き換えることにより、副情報として値“０”を挿入する場合に〔値ＤＳＶ4 ＜値ＤＳＶ9 〕にすることができる。なお、置き換えは他の対象デジタルデータ（ＤＳ１、ＤＳ５、ＤＳ６、ＤＳ７、ＤＳ８）であってもよく、置き換えるデータも実値「０」〜「８７」のいずれでもよい。
【００５５】
このようにして、有効な対象デジタルデータを４個以上含む区間に対して副情報の挿入を行うことができる。ここで上述の置き換えられた対象デジタルデータは、上述の誤り訂正情報（Ｐ０、Ｐ１）により特定されて、そのデータの誤りが訂正されるものである。そこでこの置き換えの行われる対象デジタルデータは、誤り訂正情報による訂正が行われ易いよう、例えば上述の図５中に示すように、ＥＣＣ単位の中で横方向及び縦方向に並ばない位置に配置される。
【００５６】
そしてこのように有効な対象デジタルデータを４個以上含む区間に対して副情報の挿入を行う場合には、例えば上述の規定のデータのＥＣＣ単位に含まれる有効な区間の数は１１０９であり、これにより１１０９ビットの副情報を挿入することができる。そこで例えばＥＣＣ単位の平均で１０００ビットとして、例えば単層ＤＶＤのビデオディスクの１枚当たりの副情報の総量は約１．５×１０8 ビットとなる。
【００５７】
またこのように多数のビットからなる副情報に対しても、例えばその一部を誤り訂正情報の領域として必要な情報に対して生成された誤り訂正情報を設けることにより、挿入される副情報の信頼性を向上させることができる。さらにこのような誤り訂正情報を設けることにより、例えば通常の変調により偶然に副情報と類似の結果が生じていたような場合にも、誤り訂正が不能になり情報が取り出されなくなることで、誤動作等が生じる恐れをなくすことができる。
【００５８】
さらに図１９には、本発明によるデジタル復調方法を適用した再生装置の一実施形態の構成を示す。この図１９において、例えばＤＶＤ３０に記録された信号がディスクリーダー３１により読み出される。このディスクリーダー３１では、例えばレーザーがＤＶＤ３０に照射されてその戻り光が受光される。ここでこの戻り光は例えば図２０に示すような波形になっており、これが所定のスライスレベルで２値化されて再生ＮＲＺＩデータが取り出される。
【００５９】
この再生ＮＲＺＩデータが副情報の検出回路３２に供給される。そこでこの検出回路３２では、例えば最初に同期フレームの先頭の同期パターン（ＳＹＮＣ）が検出され、続いて各対象デジタルデータが実値に変換される。そして各区間の対象デジタルデータの内の実値「０」〜「８７」の数が計測され、この数が４または５以上の区間が有効区間とされる。また、有効区間とされなかった区間の副情報の検出値が値“−１”にされる。
【００６０】
一方、同期パターン（ＳＹＮＣ）の直前で値“０”にリセットしたＤＳＶ値が計算され、各区画ごとに同期パターン及び各対象デジタルデータの末尾のＤＳＶ値（値ＤＳＶ0 〜ＤＳＶ9 ）が計測される。そしてこれらの内の値ＤＳＶ4 と値ＤＳＶ9 について値の大小関係が判別され、例えば〔値ＤＳＶ4 ＜値ＤＳＶ9 〕のときに副情報が値“０”とされ、〔値ＤＳＶ4 ＞値ＤＳＶ9 〕のときに副情報が値“１”とされる。このようにして副情報が取り出される。
【００６１】
また、例えばＤＶＤ３０に上述の特開平１０−２６９５７７号公報に示される技術が用いられている場合には、戻り光の波形に例えば図２１に示すような振幅の変化が現れる。そこでディスクリーダー３１で取り出される受光波形の振幅情報が副情報の検出回路３２に供給され、これによっても副情報を取り出すことができる。そしてこれらの副情報を用いてシステムの制御やその他の任意の用途で情報の利用を行うことができる。
【００６２】
すなわちこのような副情報は、例えば複製や改竄により作成される違法ディスクの排除や、著作権の許諾に応じた再生、複製の許可／不許可等の条件判断に用いられる。そこで例えば上述の検出回路３２で取り出された副情報から許可／不許可等の条件が判別され、再生許可のときは動作許可信号が、例えばディスクリーダー３１からの再生ＮＲＺＩデータの供給される復調回路３３に供給されて、復調動作の許可が行われる。
【００６３】
また、再生不許可のときは上述の検出回路３２からの動作許可信号が反転されて復調回路３３での復調動作が不許可にされると共に、この動作許可信号が例えばインバータ３４で反転されて動作禁止信号が形成される。そしてこの動作禁止信号が例えばシステムコントローラ３５に供給されて、例えば違法なディスクが再生されたときにこのディスクを強制的に排出する制御をディスクリーダー３１に指令するなどの処置を行うことができるものである。
【００６４】
そしてさらに再生許可のときは、復調回路３３で例えば図５に示したような再生デジタルデータが復調される。また、この再生デジタルデータがインターリーブ解除回路３６に供給されて例えば図４に示したような縦横方向の誤り訂正情報（Ｐ０、Ｐ１）の設けられたインターリーブ解除済データが形成される。さらにこのインターリーブ解除済データが誤り訂正回路３７に供給されて例えば図３に示したような誤り訂正済データが形成される。
【００６５】
さらにこの誤り訂正済データがブロック解除回路３８に供給されて再生コンテンツ３９が取り出される。このようにして、例えばＤＶＤ３０に記録された信号の再生が行われる。そしてこの場合に、上述の各区画ごとに各対象デジタルデータの末尾のＤＳＶ値（値ＤＳＶ0 〜ＤＳＶ9 ）が計測され、値ＤＳＶ4 と値ＤＳＶ9 について値の大小関係が判別されて副情報が取り出され、この副情報を用いてシステムの制御やその他の任意の用途で情報の利用を行うことができる。
【００６６】
従ってこのデジタル復調方法の一実施形態において、値“１”となる時間と値“０”となる時間の差（ＤＳＶ）が局所的に制御されたシリアルデータから、そのＤＳＶの値の変化パターンを用いて任意の副情報を取り出すようにしたことによって、このＤＳＶの値の変化パターンの形式を定めることにより、良好な副情報の挿入を行うことができると共に、変化パターンの形式を判別して誤った判断や誤動作等の生じる恐れも排除することができる。
【００６７】
これによって、従来の例えばレーザービームの光量を変調して副情報を挿入する方式では、光を用いない記録媒体には効果がなく、さらに市販の記録装置にレーザービームの光量を変調する機能を持たせることも容易ではなく、また、ＤＳＶの値を変調して副情報の挿入を行う方式では、これを単純に実施しても良好な副情報の挿入や誤動作等の恐れを排除することができなかったものを、本発明によればこれらの問題点を容易に解消することができるものである。
【００６８】
さらに本発明を適用した記録済記録媒体の一実施形態は図２の記録装置によって作成される。すなわちこの図２の記録装置によって作成されたＤＶＤ２２とＤＶＤ−Ｒ２０が本発明を適用した記録済記録媒体である。そしてこの記録済記録媒体であるＤＶＤ２２には、変換された信号が値“１”となる時間と値“０”となる時間の差（ＤＳＶ）が局所的に制御され、このＤＳＶの値の変化パターンによって任意の副情報が挿入されたシリアルデータが記録されているものである。
【００６９】
さらに上述の記録済記録媒体はＤＶＤに限らず、ＣＤ、ＣＤ−Ｒ、ＣＤ−ＲＷ、ＭＯ、ＭＤ、ＤＶＤ−ＲＷ、ＤＶＤ−ＲＡＭ等にも適用できるものである。また上述の記録済記録媒体は、光を用いない記録媒体としての、例えば磁気ディスクや磁気テープ、さらに半導体メモリー等にも適用することができる。すなわちＤＳＶは光ディスクに特有の概念であるが、変調方法としてこの概念を用いる場合には、全ての記録媒体に適用することができるものである。
【００７０】
従ってこの記録済記録媒体の一実施形態において、値“１”となる時間と値“０”となる時間の差（ＤＳＶ）が局所的に制御され、そのＤＳＶの値の変化パターンを用いて任意の副情報の挿入されたシリアルデータが記録されるようにしたことによって、このＤＳＶの値の変化パターンの形式を定めることにより、良好な副情報の挿入を行うことができると共に、変化パターンの形式を判別して誤った判断や誤動作等の生じる恐れも排除することができる。
【００７１】
これによって、従来の例えばレーザービームの光量を変調して副情報を挿入する方式では、光を用いない記録媒体には効果がなく、さらに市販の記録装置にレーザービームの光量を変調する機能を持たせることも容易ではなく、また、ＤＳＶの値を変調して副情報の挿入を行う方式では、これを単純に実施しても良好な副情報の挿入や誤動作等の恐れを排除することができなかったものを、本発明によればこれらの問題点を容易に解消することができるものである。
【００７２】
そしてこの場合に、上述の実施形態によれば副情報の挿入のための変調はＮＲＺＩデータについて行われ、データの置き換えを行う場合を除いてデジタルデータには全く影響しないので、このような副情報をデジタルデータの操作によって形成することは不可能なものである。これによりこのような副情報を、例えば複製や改竄により作成される違法ディスクの排除や、著作権の許諾に応じた再生、複製の許可／不許可等の条件判断に用いて好適なものである。
【００７３】
さらに本発明のデジタル変調方法及び復調方法は、記録媒体を介することのない放送や通信の手段等においても適用することができる。すなわちこのような放送や通信においても、上述の変調方法によって放送や通信信号中に副情報の挿入を行うことができる。これによりこのような副情報を用いて、例えば有料放送における違法な視聴の排除や、著作権の許諾に応じた記録の許可／不許可等の条件判断を行うことができるものである。
【００７４】
また上述の実施形態では、特に記録装置に適用する場合には、例えばデータの置き換えなどを行う際に相当数のデータの先読みを行う必要があり、このため回路構成等も大きなものになる。しかしながらこのような装置は、例えばＤＶＤのマスタリング装置などに適用されるものであり、民生機ではないので問題が生じることはない。そしてこのようなマスタリング装置の所在地などを管理することにより、違法ディスク等の作成を有効に防止することができる。
【００７５】
また上述の実施形態は、回路の集積化などによって民生機に導入可能になった場合には、シリアルコピーマネージメント機能としても利用できるものである。すなわち副情報の中にコピー回数の情報を含めておき、コピーが行われた際にはその回数を１増加して書き換えることにより、コピーが行われた回数を把握することができる。これにより例えば所定回数以上のコピーを判別して、それを制限するなどの処置を行うことができる。
【００７６】
さらに上述の実施形態では、例えば各同期フレームを分割した区間について、そのデータの末尾のＤＳＶ値の内から値ＤＳＶ4 と値ＤＳＶ9 を用いて副情報の挿入を行うことにしたが、この他にも、例えばＤＳＶ値の変化そのものを用いて副情報の挿入を行うこともできる。
【００７７】
すなわち例えば図２２においては、シリアルデータを任意の長さの副情報割り当て区間と安定化区間とする。そしてこの安定化区間にてＤＳＶ値を値“０”の近傍になるように制御すると共に、割り当て区間のＤＳＶ値が値“０”以上、または値“０”以下になるように制御する。これにより、このＤＳＶ値を用いて副情報の値“１”または“０”を挿入することができる。この場合に、復調時はＤＳＶ値を直接判別して副情報を取り出すことができる。
【００７８】
あるいは図２３では、挿入される副情報が例えば値“０”の場合にのみ、ＤＳＶ値が値“０”から離れ、例えば値“０”以下になるように制御し、副情報が値“１”の場合には値“０”の近傍で値“０”を繰り返し横切るるように制御してるものである。このようにしてもこのＤＳＶ値を用いて副情報の値“１”または“０”を挿入することができる。そしてこの場合も、復調時はＤＳＶ値を直接判別して副情報を取り出すことができるものである。
【００７９】
こうして上述のデジタル変調方法によれば、実値のデジタルデータをシリアルデータに変換するデジタル変調方法であって、シリアルデータに変換された信号が値“１”となる時間と値“０”となる時間の差（ＤＳＶ）を局所的に制御し、ＤＳＶ値の変化パターンを用いて任意の副情報を挿入することにより、このＤＳＶの値の変化パターンの形式を定めることにより、良好な副情報の挿入を行うことができると共に、変化パターンの形式を判別して誤った判断や誤動作等の生じる恐れも排除することができるものである。
【００８０】
また、上述のデジタル復調方法によれば、シリアルデータを実値のデジタルデータに変換するデジタル復調方法であって、シリアルデータの信号が値“１”となる時間と値“０”となる時間の差（ＤＳＶ）を測定し、ＤＳＶ値の変化パターンを判別して任意の副情報を取り出すことにより、このＤＳＶの値の変化パターンの形式を定めることにより、良好な副情報の挿入を行うことができると共に、変化パターンの形式を判別して誤った判断や誤動作等の生じる恐れも排除することができるものである。
【００８１】
さらに上述の記録済記録媒体によれば、実値のデジタルデータをシリアルデータに変換して記録した記録済記録媒体であって、シリアルデータに変換された信号が値“１”となる時間と値“０”となる時間の差（ＤＳＶ）を局所的に制御し、ＤＳＶ値の変化パターンを用いて任意の副情報を挿入して記録することにより、このＤＳＶの値の変化パターンの形式を定めることにより、良好な副情報の挿入を行うことができると共に、変化パターンの形式を判別して誤った判断や誤動作等の生じる恐れも排除することができるものである。
【００８２】
なお本発明は、上述の説明した実施の形態に限定されるものではなく、本発明の精神を逸脱することなく種々の変形が可能とされるものである。
【００８３】
【発明の効果】
本発明によれば、実値の８ビットのデジタルデータを所定の個数ごとの区間に分割し、分割した区間のうち実値「０」〜「８７」のデジタルデータが所定数以上含まれる区間を抽出し、抽出した各区間について、所定の一つの位置のデジタルデータから変換した１６ビットのシリアルデータが値“１”となる時間と値“０”となる時間の差（ＤＳＶ）の値と、所定の別の一つの位置のデジタルデータから変換したシリアルデータが値“１”となる時間と値“０”となる時間の差（ＤＳＶ）の値とを、いずれか一方の位置におけるＤＳＶの値のほうが大きくなるように制御し、それらの二つの位置におけるＤＳＶの値の大小関係に応じて１ビットずつの副情報を挿入するようにしたことによって、複数の区間でそれらの二つの位置におけるＤＳＶの値の大小関係を定めることにより、多数のビットからなる良好な情報の挿入を行うことができると共に、各区間におけるそれらの二つの位置のＤＳＶの値の大小関係を判別して誤った判断や誤動作等の生じる恐れも排除することができるものである。
【００８４】
また、副情報のうちの一部を誤り訂正情報の領域として誤り訂正情報を設けることにより、挿入される副情報の信頼性を向上させることができ、さらに、例えば通常の変調により偶然に副情報と類似の結果が生じていたような場合にも、誤り訂正が不能になり情報が取り出されなくなることで、誤動作等が生じる恐れをなくすことができるものである。
【００８５】
また、実値「０」〜「８７」のデジタルデータが所定数よりも１つ少ない数だけ含まれる各区間について、実値「８８」以上のデジタルデータの一つをそれぞれ実値「０」〜「８７」のいずれかのデータに置き換えることにより、副情報を挿入する区間を増やしているので、挿入する副情報のビット数を増やすことができる。
そして、横方向及び縦方向の誤り訂正情報を付加した単位の中で互いに横方向及び縦方向に並ばない位置のデジタルデータをそれぞれ実値「０」〜「８７」のいずれかのデータに置き換えるので、置き換えられたデジタルデータは、横方向及び縦方向の誤り訂正情報により特定されて、そのデータの誤りを訂正することができるものである。
【００８６】
また、所定の個数のシリアルデータからなる区間ごとに、シリアルデータから変換したデジタルデータのうち実値「０」〜「８７」の数を計測して、実値「０」〜「８７」の数が所定数以上である区間を有効区間とし、各有効区間について、所定の一つの位置のシリアルデータが値“１”となる時間と値“０”となる時間の差（ＤＳＶ）の値と、所定の別の一つの位置のシリアルデータが値“１”となる時間と値“０”となる時間の差（ＤＳＶ）の値との大小関係を判別し、その大小関係に応じて１ビットずつの副情報を取り出し、有効区間のうち、所定の一つの位置におけるＤＳＶの値と所定の別の一つの位置におけるＤＳＶの値とが等しくなる区間の数によって、副情報の挿入の有無を判断するようにしたことによって、多数のビットからなる良好な副情報を取り出すことができると共に、各区間におけるそれらの二つの位置のＤＳＶの値の大小関係を判別して誤った判断や誤動作等の生じる恐れも排除することができるものである。
【００８７】
また、取り出した副情報を、複製や改竄により作成される違法ディスクの排除や、著作権の許諾に応じた再生、複製の許可／不許可等の条件判断に用いることができるものである。
【００８８】
また、取り出した副情報を、複製や改竄により作成される違法ディスクの排除や、著作権の許諾に応じた再生、複製の許可／不許可等の条件判断に用いることができるものである。
【００８９】
また、所定の個数のデジタルデータごとに分割された区間のうち、実値「０」〜「８７」のデジタルデータが所定数以上含まれる各区間について、所定の一つの位置のデジタルデータから変換したシリアルデータが値“１”となる時間と値“０”となる時間の差（ＤＳＶ）の値と、所定の別の一つの位置のデジタルデータから変換したシリアルデータが値“１”となる時間と値“０”となる時間の差（ＤＳＶ）の値とが、いずれか一方の位置におけるＤＳＶの値のほうが大きくなるように制御されており、それらの二つの位置におけるＤＳＶの値の大小関係に応じて１ビットずつの副情報の挿入されたシリアルデータが記録されるようにしたことによって、複数の区間でそれらの二つの位置におけるＤＳＶの値の大小関係を定めることにより、多数のビットからなる良好な情報の挿入を行うことができると共に、各区間におけるそれらの二つの位置のＤＳＶの値の大小関係を判別して誤った判断や誤動作等の生じる恐れも排除することができるものである。
【００９０】
また、副情報のうちの一部を誤り訂正情報の領域として誤り訂正情報を設けることにより、挿入される副情報の信頼性を向上させることができ、さらに、例えば通常の変調により偶然に副情報と類似の結果が生じていたような場合にも、誤り訂正が不能になり情報が取り出されなくなることで、誤動作等が生じる恐れをなくすことができるものである。
【００９１】
また、実値「０」〜「８７」のデジタルデータが所定数よりも１つ少ない数だけ含まれる各区間について、実値「８８」以上のデジタルデータの一つをそれぞれ実値「０」〜「８７」のいずれかのデータに置き換えることにより、副情報を挿入する区間を増やしているので、記録する副情報のビット数を増やすことができる。
そして、横方向及び縦方向の誤り訂正情報を付加した単位の中で互いに横方向及び縦方向に並ばない位置のデジタルデータをそれぞれ実値「０」〜「８７」のいずれかのデータに置き換えているので、置き換えられたデジタルデータは、横方向及び縦方向の誤り訂正情報により特定されて、そのデータの誤りを訂正することができるものである。
【００９２】
これによって、従来の例えばレーザービームの光量を変調して副情報を挿入する方式では、光を用いない記録媒体には効果がなく、さらに市販の記録装置にレーザービームの光量を変調する機能を持たせることも容易ではなく、また、ＤＳＶの値を変調して副情報の挿入を行う方式では、これを単純に実施しても良好な副情報の挿入や誤動作等の恐れを排除することができなかったものを、本発明によればこれらの問題点を容易に解消することができるものである。
【図面の簡単な説明】
【図１】本発明の適用されるシステムの全体の構成図である。
【図２】本発明によるデジタル変調方法を適用した記録装置の一実施形態の構成図である。
【図３】その説明のための図である。
【図４】その説明のための図である。
【図５】その説明のための図である。
【図６】その変調回路の一実施形態の構成図である。
【図７】その説明のための図である。
【図８】その説明のための図である。
【図９】本発明によるデジタル変調方法の一実施形態の説明のための図である。
【図１０】その説明のための図である。
【図１１】その説明のための図である。
【図１２】その説明のための図である。
【図１３】その説明のための図である。
【図１４】その説明のための図である。
【図１５】その説明のための図である。
【図１６】その説明のための図である。
【図１７】その説明のための図である。
【図１８】その説明のための図である。
【図１９】本発明によるデジタル復調方法を適用した再生装置の一実施形態の構成図である。
【図２０】その説明のための図である。
【図２１】その説明のための図である。
【図２２】本発明によるデジタル変調方法の他の実施形態の説明のための図である。
【図２３】本発明によるデジタル変調方法のさらに他の実施形態の説明のための図である。
【図２４】ＤＳＶ値の説明のための図である。
【図２５】ＤＳＶ値の説明のための図である。
【符号の説明】
１，１０…記録対象コンテンツ、２…光ディスク記録装置、３，２２，３０…ＤＶＤ、４…再生装置、５，３９…再生コンテンツ、１１…ブロック化回路、１２…誤り訂正情報付加回路、１３…インターリーブ回路、１４，１８…セレクタ、１５…置き換えデータ生成回路、１６…変調回路、１７…副情報生成回路、１９…ＤＶＤ−Ｒ書き込み装置、２０…ＤＶＤ−Ｒ、２１…ＤＶＤマスタリング装置、３１…ディスクリーダー、３２…副情報検出回路、３３…復調回路、３４…インバータ、３５…システムコントローラ、３６…インターリーブ解除回路、３７…誤り訂正回路、３８…ブロック解除回路
【図１】
0004265101.tif 000002
【図２】
0004265101.tif 000003
【図３】
0004265101.tif 000004
【図４】
0004265101.tif 000005
【図５】
0004265101.tif 000006
【図６】
0004265101.tif 000007
【図７】
0004265101.tif 000008
【図８】
0004265101.tif 000009
【図９】
0004265101.tif 000010
【図１０】
0004265101.tif 000011
【図１１】
0004265101.tif 000012
【図１２】
0004265101.tif 000013
【図１３】
0004265101.tif 000014
【図１４】
0004265101.tif 000015
【図１５】
0004265101.tif 000016
【図１６】
0004265101.tif 000017
【図１７】
0004265101.tif 000018
【図１８】
0004265101.tif 000019
【図１９】
0004265101.tif 000020
【図２０】
0004265101.tif 000021
【図２１】
0004265101.tif 000022
【図２２】
0004265101.tif 000023
【図２３】
0004265101.tif 000024
【図２４】
0004265101.tif 000025
【図２５】
0004265101.tif 000026